(57)【要約】【課題】複数の回路ユニットを相互に接続して箱本体が構成される電気接続箱において、別部材に依存することなく、回路ユニット相互の位置決めを精度良く行なうことの出来る、新規な構造のバスバーおよびこれを備えた電気接続箱を提供すること。【解決手段】箱本体１２を形成する第一の回路ユニット１４と第二の回路ユニット１６において、前記第一の回路ユニット１４に設けられて前記第二の回路ユニット１６と接続するバスバー４０に、該バスバー４０の延出方向で傾斜する傾斜案内部５８を形成して、該傾斜案内部５８で前記第二の回路ユニット１６を案内することにより、前記第一の回路ユニット１４の第一のロック部２８ａ，２８ｂと、前記第二の回路ユニット１６の第二のロック部７６ａ，７６ｂとを位置合わせするようにした。【選択図】図９
2014087221.tif 000002
【特許請求の範囲】
【請求項１】
第一の回路ユニットと第二の回路ユニットが、前記第一の回路ユニットの第一のロック部と前記第二の回路ユニットの第二のロック部とが相互に係合されることで相互に組み付けられて箱本体が形成される電気接続箱の前記第一の回路ユニットに設けられて、該第一の回路ユニットと前記第二の回路ユニットとを接続するバスバーにおいて、
前記第二の回路ユニットの前記第一の回路ユニットへの組付方向に延出すると共に、延出方向の中間部分には、該延出方向で傾斜して、前記第二の回路ユニットを案内して前記第二のロック部を前記第一のロック部に位置合わせする傾斜案内部が形成されている
ことを特徴とするバスバー。
【請求項２】
前記傾斜案内部の前記延出方向に対する傾斜角度が、４５度以下とされている
請求項１に記載のバスバー。
【請求項３】
第一の回路ユニットと第二の回路ユニットが、前記第一の回路ユニットの第一のロック部と前記第二の回路ユニットの第二のロック部とが相互に係合されることで相互に組み付けられて箱本体が形成されると共に、前記第一の回路ユニットに設けられたバスバーで該第一の回路ユニットと前記第二の回路ユニットが接続される電気接続箱において、
前記バスバーとして請求項１又は２に記載のバスバーを用い、
該バスバーの前記傾斜案内部で前記第二の回路ユニットを案内して、該第二の回路ユニットの前記第二のロック部を前記第一の回路ユニットの前記第一のロック部と位置合わせする
ことを特徴とする電気接続箱。
【請求項４】
前記第一の回路ユニットに形成された差込孔に前記第二の回路ユニットが差し込まれて、前記差込孔の内周面に形成された前記第一のロック部と前記第二の回路ユニットの外面に設けられた前記第二のロック部が相互に係合されると共に、前記差込孔の内周面に、前記バスバーが前記第二の回路ユニットの差込方向に延出して設けられている
請求項３に記載の電気接続箱。
【請求項５】
前記第二の回路ユニットの幅方向の一方の端部には、複数のヒューズ装着部が形成されている一方、他方の端部には、複数のコネクタ装着部が形成されており、該第二の回路ユニットが前記第一の回路ユニットを貫通して設けられた前記差込孔に挿通されることにより、前記第二の回路ユニットの前記一方の端部と前記他方の端部が、前記第一の回路ユニットから互いに反対方向に突出されて組み付けられると共に、
前記バスバーには、前記第一の回路ユニットに固定される固定部と、該固定部から延出して前記第一の回路ユニットの接続部に接続される第一の分枝部と、該固定部から延出して前記第二の回路ユニットの前記一方の端部側に設けられた接続部に接続される第二の分枝部が形成されており、該第二の分枝部に前記傾斜案内部が形成されている
請求項４に記載の電気接続箱。
【発明の詳細な説明】
【技術分野】
【０００１】
本発明は、自動車等に搭載される電気接続箱に用いられるバスバーと、それを備えた電気接続箱に係り、特に、電気接続箱の箱本体を構成する複数の回路ユニットを相互に接続するバスバーおよびこれを備えた電気接続箱に関するものである。
【背景技術】
【０００２】
従来から、自動車等において、電源からの電力を各電気部品に効率良く分配する等のために、電気接続箱が用いられている。このような電気接続箱として、特開２００７−１２９７９０号公報（特許文献１）には、２つの回路ユニットを相互に接続して箱本体を構成する電気接続箱が開示されている。
【０００３】
ところで、特許文献１に記載の如き、箱本体が複数の回路ユニットで構成された電気接続箱は、互いの回路ユニットが正しく位置合わせされて、正しく接続される必要がある。そこで、特許文献１には、ロアケースを用いて、ロアケースに対して２つの回路ユニットを位置決め状態で固定することによって、２つの回路ユニットを相互に位置決めする構造が開示されている。
【０００４】
しかし、特許文献１に記載の如き構造では、２つの回路ユニットを位置合わせするために、回路ユニットとは別部材のロアケースを用いている。それ故、ロアケースに特定の位置決め構造を設ける等、ロアケースの構造が複雑化するという問題があった。また、２つの回路ユニットの位置合わせが、それらの間に介在する寸法公差の大きなロアケースに依存していることから、位置合わせの精度が、十分に確保し難いという問題があった。
【先行技術文献】
【特許文献】
【０００５】
【特許文献１】特開２００７−１２９７９０号公報
【発明の概要】
【発明が解決しようとする課題】
【０００６】
本発明は、上述の事情を背景に為されたものであって、その解決課題は、複数の回路ユニットを相互に接続して箱本体が構成される電気接続箱に用いられて、別部材に依存することなく、回路ユニット相互の位置決めを精度良く行なうことの出来る、新規な構造のバスバーおよび該バスバーを備えた新規な構造の電気接続箱を提供することにある。
【課題を解決するための手段】
【０００７】
バスバーに関する本発明の第一の態様は、第一の回路ユニットと第二の回路ユニットが、前記第一の回路ユニットの第一のロック部と前記第二の回路ユニットの第二のロック部とが相互に係合されることで相互に組み付けられて箱本体が形成される電気接続箱の前記第一の回路ユニットに設けられて、該第一の回路ユニットと前記第二の回路ユニットとを接続するバスバーにおいて、前記第二の回路ユニットの前記第一の回路ユニットへの組付方向に延出すると共に、延出方向の中間部分には、該延出方向で傾斜して、前記第二の回路ユニットを案内して前記第二のロック部を前記第一のロック部に位置合わせする傾斜案内部が形成されていることを、特徴とする。
【０００８】
本発明に従う構造とされたバスバーを用いれば、傾斜案内部で第二の回路ユニットを案内することによって、第二の回路ユニットに設けられた第二のロック部を、第一の回路ユニットに設けられた第一のロック部と位置合わせすることが出来る。これにより、第一の回路ユニットと第二の回路ユニットとの組み付けを、より容易且つ安定的に行なうことが出来る。特に、第一の回路ユニットを第二の回路ユニットと接続するために設けられるバスバーに傾斜案内部を形成したことにより、ロアケース等の別部材を介在させることなく、第一の回路ユニットと第二の回路ユニットの位置決めを行なうことが出来る。これにより、ロアケース等の別部材に位置決め構造を設ける必要がなく、電気接続箱の高密度化等の問題にも有利に対応が可能となる。
【０００９】
バスバーに関する本発明の第二の態様は、バスバーに関する本発明の前記第一の態様に記載のものにおいて、前記傾斜案内部の前記延出方向に対する傾斜角度が、４５度以下とされているものである。
【００１０】
本態様においては、傾斜案内部のバスバーの延出方向に対する傾斜角度、即ち、傾斜案内部の立ち上がり角度が４５度以下とされている。これにより、第二の回路ユニットが傾斜案内部に強く打ち当たったり、引っ掛かることを防止することが出来て、第二の回路ユニットを滑らかに案内することが出来る。
【００１１】
電気接続箱に関する本発明の第一の態様は、第一の回路ユニットと第二の回路ユニットが、前記第一の回路ユニットの第一のロック部と前記第二の回路ユニットの第二のロック部とが相互に係合されることで相互に組み付けられて箱本体が形成されると共に、前記第一の回路ユニットに設けられたバスバーで該第一の回路ユニットと前記第二の回路ユニットが接続される電気接続箱において、前記バスバーとしてバスバーに関する本発明の前記第一又は第二の態様に記載のバスバーを用い、該バスバーの前記傾斜案内部で前記第二の回路ユニットを案内して、該第二の回路ユニットの前記第二のロック部を前記第一の回路ユニットの前記第一のロック部と位置合わせすることを、特徴とする。
【００１２】
本発明に従う構造とされた電気接続箱においては、第一の回路ユニットに設けられたバスバーの傾斜案内部で第二の回路ユニットを案内することによって、第二の回路ユニットに設けられた第二のロック部を、第一の回路ユニットに設けられた第一のロック部と位置合わせすることが出来る。これにより、第一の回路ユニットと第二の回路ユニットとの組み付けを、より容易且つ安定的に行なうことが出来る。特に、第一の回路ユニットを第二の回路ユニットと接続するために設けられるバスバーを用いて傾斜案内部を形成したことにより、ロアケース等の別部材を介在させることなく、第一の回路ユニットと第二の回路ユニットの位置決めを行なうことが出来る。これにより、ロアケース等の別部材に位置決め構造を設ける必要がなく、電気接続箱の高密度化等の問題にも有利に対応が可能となる。
【００１３】
電気接続箱に関する本発明の第二の態様は、電気接続箱に関する本発明の前記第一の態様に記載のものにおいて、前記第一の回路ユニットに形成された差込孔に前記第二の回路ユニットが差し込まれて、前記差込孔の内周面に形成された前記第一のロック部と前記第二の回路ユニットの外面に設けられた前記第二のロック部が相互に係合されると共に、前記差込孔の内周面に、前記バスバーが前記第二の回路ユニットの差込方向に延出して設けられているものである。
【００１４】
本態様においては、第二の回路ユニットが差し込まれる第一の回路ユニットの差込孔の内周面に、傾斜案内部を備えたバスバーが配設されている。これにより、第二の回路ユニットと差込孔の内周面との間に隙間が存する場合でも、バスバーの傾斜案内面で第二の回路ユニットを案内することによって、第二のロック部を第一のロック部に容易に位置合わせして係合することが出来る。
【００１５】
電気接続箱に関する本発明の第三の態様は、電気接続箱に関する本発明の前記第二の態様に記載のものにおいて、前記第二の回路ユニットの幅方向の一方の端部には、複数のヒューズ装着部が形成されている一方、他方の端部には、複数のコネクタ装着部が形成されており、該第二の回路ユニットが前記第一の回路ユニットを貫通して設けられた前記差込孔に挿通されることにより、前記第二の回路ユニットの前記一方の端部と前記他方の端部が、前記第一の回路ユニットから互いに反対方向に突出されて組み付けられると共に、前記バスバーには、前記第一の回路ユニットに固定される固定部と、該固定部から延出して前記第一の回路ユニットの接続部に接続される第一の分枝部と、該固定部から延出して前記第二の回路ユニットの前記一方の端部側に設けられた接続部に接続される第二の分枝部が形成されており、該第二の分枝部に前記傾斜案内部が形成されているものである。
【００１６】
本態様によれば、第二の回路ユニットが第一の回路ユニットを貫通して組み付けられて、第一の回路ユニットの一方の側にヒューズ装着部が配設される一方、他方の側にコネクタ装着部が配設される。これにより、コネクタ装着部に接続されるワイヤハーネスを、第一の回路ユニットの一方の側に集中して配設することが出来て、ワイヤハーネスの取り回しを容易にすることが出来る。また、第二の回路ユニットの幅方向の中央部分を差込孔に挿通して、幅方向の両端部を第一の回路ユニットから両側に突出させることにより、箱本体の全体的な寸法の小型化を図ることもできる。
【００１７】
そして、バスバーにおいて第一の回路ユニットへの固定部から延出する第二の分枝部に傾斜案内部を形成することによって、第二の分枝部の延出寸法を巧く利用して、傾斜案内部をスペース効率良く形成することが出来る。また、第二の分枝部の延出寸法を利用することによって、傾斜案内部の、第二の分枝部の延出方向に対する傾斜角度を小さくすることが出来、第二の回路ユニットを滑らかに案内することも出来る。
【発明の効果】
【００１８】
本発明においては、第一の回路ユニットに設けられて、第二の回路ユニットと接続するバスバーに、第二の回路ユニットを案内する傾斜案内部を形成した。これにより、第二の回路ユニットの第二のロック部を、第一の回路ユニットの第一のロック部に容易且つ確実に位置合わせして、第一の回路ユニットと第二の回路ユニットとの組み付けをより容易に行なうことが出来る。そして、第一の回路ユニットに設けられるバスバーに傾斜案内部を形成したことにより、第一の回路ユニットと第二の回路ユニット以外の別部材を介在させることなく、第一の回路ユニットと第二の回路ユニットをより精度良く位置合わせすることが出来る。
【図面の簡単な説明】
【００１９】
【図１】電気接続箱に関する本発明の一実施形態としての電気接続箱の箱本体の斜視図。
【図２】図１に示した箱本体の分解斜視図。
【図３】図１に示した箱本体を構成する第一の回路ユニットの斜視図。
【図４】図３に示した第一の回路ユニットの下面図。
【図５】バスバーに関する本発明の一実施形態としてのバスバーの斜視図。
【図６】図５に示したバスバーの側面図。
【図７】図１に示した箱本体を構成する第二の回路ユニットの斜視図。
【図８】図７に示した第二の回路ユニットの背面図。
【図９】第一の回路ユニットと第二の回路ユニットとの組み付けを説明するための説明図で、図４のＩＸ−ＩＸ断面に相当する説明図。
【図１０】図１に示した箱本体の下面図。
【図１１】図１に示した箱本体の一部を断面で示す側面図。
【発明を実施するための形態】
【００２０】
以下、本発明の実施形態について、図面を参照しつつ説明する。
【００２１】
先ず、図１および図２に、電気接続箱に関する本発明の一実施形態としての電気接続箱１０の箱本体１２を示す。図２から明らかなように、箱本体１２は、第一の回路ユニットとしてのリレーブロック１４と、第二の回路ユニットとしてのリレーモジュール１６が相互に組み付けられて形成されている。以下、特に断りのない限り、上下方向とは、図１中の上下方向を言うものとする。
【００２２】
図３および図４に、リレーブロック１４を示す。リレーブロック１４は、略長手矩形の箱体形状を有している。リレーブロック１４には、複数のリレー装着部１８やヒューズ装着部２０等が設けられている。また、リレーブロック１４には、複数の内部バスバー２２が収容されており、これら内部バスバー２２が、リレー装着部１８やヒューズ装着部２０等に配索されている。
【００２３】
リレーブロック１４の幅方向（図４中、上下方向）の一方の端部には、差込孔２４が形成されている。差込孔２４は、リレーブロック１４の長手方向（図４中、左右方向）に延びる長手矩形状とされて、リレーブロック１４を貫通して形成されている。差込孔２４の内周面２６において、長手方向で対向する内周面２６ａ，２６ｂには、第一のロック部としてのブロック側ロック部２８ａ，２８ｂが形成されている。ブロック側ロック部２８ａ，２８ｂは互いに同様の形状とされていることから、以下、特に区別する必要の無い場合には、ブロック側ロック部２８ａについて説明し、ブロック側ロック部２８ｂについては、図中に同様の符号を付すことにより、説明を省略する。
【００２４】
ブロック側ロック部２８ａには、弾性係止片３０ａとガイドリブ３２ａ、および支持リブ３４ａが形成されている。弾性係止片３０ａは、後述する図１１からも明らかなように、下方の端部が差込孔２４の内周面２６ａに連結されていると共に、下方から上方に延出して、上方の端部が内周面２６ａから離隔された自由端とされており、弾性変形可能に形成されている。弾性係止片３０ａには、差込孔２４の内側に突出する係止爪３６が形成されている。
【００２５】
また、ガイドリブ３２ａは、弾性係止片３０ａに対して、リレーブロック１４の内側（図４中、下側）に隣接して形成されている。ガイドリブ３２ａは、内周面２６ａから突出すると共に、弾性係止片３０ａ側に開口するＬ字形状断面をもって上下方向に延出されている。また、ガイドリブ３２ａの上端縁部には、係止板部３８が形成されて上方への開口が塞がれており、ガイドリブ３２ａは、上下方向で下方のみに開口されている。なお、ガイドリブ３２ａの下端縁部は、弾性係止片３０ａよりも下方に位置されている一方、ガイドリブ３２ａの上端縁部は、弾性係止片３０ａの上端縁部と略等しく位置されている。また、ガイドリブ３２ａの内周面２６ａからの突出量は、係止爪３６を除く弾性係止片３０ａの内周面２６ａからの突出量と略等しくされている。
【００２６】
一方、支持リブ３４ａは、弾性係止片３０ａを挟んでガイドリブ３２ａの反対側に形成されている。支持リブ３４ａは、内周面２６ａから突出して、長手矩形断面をもって上下方向に延出する板形状とされている。支持リブ３４ａの内周面２６ａからの突出寸法および上下方向寸法は、ガイドリブ３２ａと略等しくされている。
【００２７】
これら弾性係止片３０ａ，ガイドリブ３２ａ，支持リブ３４ａを含んで、ブロック側ロック部２８ａが構成されている。そして、ブロック側ロック部２８ａと、ブロック側ロック部２８ｂが、差込孔２４の長手方向で対向して形成されており、弾性係止片３０ａと弾性係止片３０ｂ、ガイドリブ３２ａとガイドリブ３２ｂ、支持リブ３４ａと支持リブ３４ｂが、それぞれ、差込孔２４の長手方向に延びる同一直線上に形成されて、差込孔２４の長手方向で対向位置されている。
【００２８】
このようなリレーブロック１４の差込孔２４には、ユニット接続バスバー４０が配設されている。ユニット接続バスバー４０は、請求項のバスバーに対応する。図５および図６に、ユニット接続バスバー４０を示す。ユニット接続バスバー４０は、金属板がプレス打ち抜き加工および屈曲加工等されて形成されている。ユニット接続バスバー４０は、全体として、上下方向に延びる長手形状を有している。ユニット接続バスバー４０の下端縁部には、上方に開口するコの字形状に屈曲された固定部４２が形成されている。固定部４２には、ボルト孔４４が貫設されている。
【００２９】
そして、固定部４２から上方に延出する部分が、第一の分枝部４６と第二の分枝部４８の２つに分岐されている。第一の分枝部４６の上端縁部には、直角に屈曲された第一のユニット接続部５０が形成されている。一方、第二の分枝部４８は、第一の分枝部４６よりも上方に延出されており、その上端縁部に、第二のユニット接続部５２が形成されている。第一のユニット接続部５０および第二のユニット接続部５２には、ボルト孔５４，５６がそれぞれ貫設されている。
【００３０】
第二の分枝部４８の中間部分には、第二の分枝部４８の延出方向（図６中、上下方向）に対して傾斜する傾斜案内部５８が形成されている。傾斜案内部５８は、ユニット接続バスバー４０の差込孔２４への配設状態で、固定部４２側から第二のユニット接続部５２側に行くに連れて差込孔２４の内側（図６中、右側）に接近する方向に傾斜されている。第二の分枝部４８の延出方向（図６中、上下方向）に対する傾斜案内部５８の傾斜角度：αは、好ましくは、４５°以下に設定され、本実施形態においては、略４５°に設定されている。
【００３１】
このようなユニット接続バスバー４０が、リレーブロック１４に組み付けられている。ユニット接続バスバー４０は、図２に示したように、第二の分枝部４８が差込孔２４に下方から挿通されて、固定部４２が、リレーブロック１４に形成された電源ヒューズ装着部５９の、下方への突出部分に係止される。そして、電源ヒューズ装着部５９に装着される図示しないヒューズに対して、固定部４２が図示しないボルトで固定されることにより、ユニット接続バスバー４０がリレーブロック１４に固定されるようになっている。このように、ユニット接続バスバー４０は、固定部４２において、電源ヒューズ装着部５９に装着されるヒューズとボルト固定されることで、ヒューズへの接続とリレーブロック１４への固定が行えるようにされており、リレーブロック１４に特別なロックを設けることなく固定可能とされている。
【００３２】
図４から明らかなように、リレーブロック１４への組付状態において、第一の分枝部４６に設けられた第一のユニット接続部５０が、リレーブロック１４の下面に設けられた接続部としてのブロック側接続部６０に重ね合わされて、図示しないボルトで固定されて接続される。これにより、第一の分枝部４６が、リレーブロック１４に設けられた複数のバスバー２２と電気的に接続される。また、第二の分枝部４８が差込孔２４の内周面２６ａ上で、リレーモジュール１６の差込方向となる上下方向に延出して配設されると共に、図３等に示したように、第二のユニット接続部５２が、差込孔２４から上方に突出して配設される。なお、図４に示すように、第二のユニット接続部５２は、傾斜案内部５８によって、ブロック側ロック部２８ａよりも差込孔２４の内側に配設されている。
【００３３】
一方、リレーモジュール１６は、図７および図８に示すように、略長手矩形の箱体形状とされており、合成樹脂から形成されたケース６２内に、図示しないリレーが実装されたプリント基板が収容された構造とされている。リレーモジュール１６の表面６４において、幅方向（図７中、上下方向）の一方の端部には、複数のヒューズ装着部６６が形成されている。また、リレーモジュール１６の幅方向の他方の端部には、複数のコネクタ装着部６８が、リレーモジュール１６の長手方向に並列して形成されている。そして、表面６４において、ヒューズ装着部６６とコネクタ装着部６８で挟まれた中央部分７０は、略平坦面とされている。また、図８に示すように、リレーモジュール１６の裏面７２は、略全面に亘って平坦面とされている。
【００３４】
リレーモジュール１６のケース６２の外面において、長手方向の両側に位置する側面７４ａ，７４ｂには、第二のロック部としてのモジュール側ロック部７６ａ，７６ｂが形成されている。モジュール側ロック部７６ａ，７６ｂは、互いに略同様の形状とされていることから、以下、特に区別する必要の無い場合には、モジュール側ロック部７６ａについて説明し、モジュール側ロック部７６ｂについては、図中に同様の符号を付すことにより、説明を省略する。
【００３５】
モジュール側ロック部７６ａには、ガイドリブ７８ａと係合突起８０ａが形成されている。ガイドリブ７８ａは、側面７４ａから突出して、表面６４側に開口するＬ字形状断面をもって上下方向に延出して形成されている。一方、係合突起８０ａは、側面７４ａから突出して、ガイドリブ７８ａの上端縁部の裏面７２側に隣接して形成されている。図８から明らかなように、モジュール側ロック部７６ａ，７６ｂは、上下方向（図８中、上下方向）で互いに等しい位置に形成されており、上下方向でリレーモジュール１６の略中央部分に形成されている。
【００３６】
また、側面７４ａにおいて、リレーモジュール１６の幅方向でヒューズ装着部６６側となる、モジュール側ロック部７６ａの上方には、接続部としてのモジュール側接続部８２が設けられている。モジュール側接続部８２は、ケース６２内に収容された図示しないプリント基板と接続するバスバーに形成された突片が、ケース６２から外部に突出されて、側面７４ａ上に重ね合わされることで形成されている。モジュール側接続部８２には、ボルト孔８４が貫設されている。
【００３７】
そして、図９に示すように、リレーモジュール１６が、リレーブロック１４の差込孔２４に下方から差し込まれる。リレーモジュール１６は、表面６４をリレーブロック１４の内側に向けて、ヒューズ装着部６６側から差込孔２４に差し込まれる。ユニット接続バスバー４０の傾斜案内部５８は、弾性係止片３０ａ（図４等参照）よりも下方に位置されており、傾斜案内部５８と、ガイドリブ３２ａの下端縁部との離隔距離：ｄは、リレーモジュール１６において傾斜案内部５８と当接する上面８６とガイドリブ７８ａの上端縁部との離隔距離：Ｄよりも小さくされている。従って、リレーモジュール１６が差込孔２４に差し込まれるに際して、リレーモジュール１６のガイドリブ７８ａ，７８ｂがリレーブロック１４のガイドリブ３２ａ，３２ｂとの係合位置に到達するよりも前に、リレーモジュール１６の上面８６が傾斜案内部５８に当接されて、リレーモジュール１６が、傾斜案内部５８によって差込孔２４の内周面２６ｂ側（図９中、右側）に案内される。これにより、図１０に示すように、リレーモジュール１６のガイドリブ７８ａ，７８ｂが、リレーブロック１４のガイドリブ３２ａ，３２ｂとそれぞれ位置合わせされて相互に係合される。
【００３８】
ガイドリブ７８ａ，７８ｂとガイドリブ３２ａ，３２ｂとの係合により、リレーモジュール１６は、差込孔２４内で位置決めされて上下方向に案内される。また、リレーモジュール１６の係合突起８０ａ，８０ｂは、ガイドリブ３２ａ，３２ｂと支持リブ３４ａ，３４ｂによって、弾性係止片３０ａ，３０ｂの係止爪３６，３６の下方に位置されるようになっている。そして、リレーモジュール１６が更に上方に差し込まれて、図１１に示すように、リレーモジュール１６の係合突起８０ａ，８０ｂ（図１０には係合突起８０ａ側のみ図示）が弾性係止片３０ａ，３０ｂの係止爪３６，３６を乗り越えて上方から係止されることにより、リレーモジュール１６が、リレーブロック１４に組み付けられる。これにより、ユニット接続バスバー４０の第二のユニット接続部５２が、リレーモジュール１６のモジュール側接続部８２と重ね合わされる。そして、第二のユニット接続部５２が、ボルト８８でモジュール側接続部８２に固定されて接続されることにより、第二の分枝部４８が、リレーモジュール１６内に設けられた図示しないプリント基板と電気的に接続される。
【００３９】
このように、リレーブロック１４とリレーモジュール１６が相互に組み付けられることによって、箱本体１２が形成されている。リレーモジュール１６は、リレーブロック１４の差込孔２４を貫通して、リレーブロック１４から上下（図１１中、上下）両側に突出状態で組み付けられており、リレーモジュール１６のヒューズ装着部６６が、リレーブロック１４から上方に突出して配設されていると共に、コネクタ装着部６８が、リレーブロック１４から下方に突出して配設されている。
【００４０】
本実施形態に従う構造とされた電気接続箱１０においては、リレーブロック１４の差込孔２４にリレーモジュール１６を差し込んで、リレーブロック１４のブロック側ロック部２８ａ，２８ｂと、リレーモジュール１６のモジュール側ロック部７６ａ，７６ｂを相互に係合することによって、箱本体１２が形成される。そして、リレーモジュール１６を差込孔２４に差し込むに際して、リレーモジュール１６のガイドリブ７８ａ，７８ｂがリレーブロック１４のガイドリブ３２ａ，３２ｂに到達するよりも前に、リレーモジュール１６がユニット接続バスバー４０の傾斜案内部５８に当接されて、傾斜案内部５８で案内される。これにより、リレーモジュール１６のガイドリブ７８ａ，７８ｂをリレーブロック１４のガイドリブ３２ａ，３２ｂに対して位置合わせすることが出来て、リレーブロック１４とリレーモジュール１６の組み付けを容易に行なうことが出来る。特に、傾斜案内部５８を、リレーブロック１４に設けられて、リレーモジュール１６との電気接続に用いられるユニット接続バスバー４０に設けたことから、特別な別部材を要することがなく、別部材との寸法公差の問題も回避されることにより、リレーブロック１４とリレーモジュール１６との位置決めを精度良く行なうことが出来る。
【００４１】
また、傾斜案内部５８の傾斜角度：α（図６参照）が、４５°以下に設定されている。これにより、リレーモジュール１６の傾斜案内部５８への引っ掛かりを防ぐことが出来て、リレーモジュール１６を円滑に案内することが出来る。
【００４２】
そして、リレーモジュール１６が、リレーブロック１４の上下の両側に突出して組み付けられている。これにより、箱本体１２の全体寸法を小さくすることが出来る。更に、リレーモジュール１６において、リレーブロック１４の上方に突出される部位にヒューズ装着部６６を設けると共に、リレーブロック１４の下方に突出される部位にコネクタ装着部６８を設けたことによって、ヒューズ装着部６６への図示しないヒューズの挿抜作業を、リレーブロック１４のヒューズ装着部２０と同じリレーブロック１４の上側で円滑に行なうことが出来ると共に、コネクタ装着部６８に接続される図示しないワイヤハーネスをリレーブロック１４の下方に集中して配設することによって、ワイヤハーネスの取り回しも容易に行なうことが出来る。そして、リレーモジュール１６において、ヒューズ装着部６６に近接して配設されたモジュール側接続部８２と接続するために、リレーブロック１４の上方に向けて長尺に形成される第二の分枝部４８の長さ寸法を巧く利用することによって、傾斜案内部５８をスペース効率良く形成することが出来る。
【００４３】
以上、本発明の実施形態について詳述したが、本発明はその具体的な記載によって限定されない。例えば、前記実施形態のユニット接続バスバー４０において、第一の分枝部４６は必ずしも必要ではなく、リレーブロック１４側への給電路を、別のバスバー等を用いて構成しても良い。また、傾斜案内部を、バスバーの延出方向で複数箇所に形成する等しても良い。
【００４４】
また、第一の回路ユニットと第二の回路ユニットとの組み付け態様は、前記実施形態のものに限定されることはなく、例えば、第一の回路ユニットの差込孔を有底形状として、第二の回路ユニットが、第一の回路ユニットの片側のみに突出した状態で組み付けられるものでも良い。加えて、差込孔も必ずしも必要ではないのであって、例えば、第二の回路ユニットが、第一の回路ユニットの外側に配設されて組み付けられるものでも良い。また、第一の回路ユニットと第二の回路ユニットを相互に組み付ける第一のロック部と第二のロック部の具体的形状も何等限定されるものではなく、従来公知の各種のロック構造が採用可能である。
【符号の説明】
【００４５】
１０：電気接続箱、１２：箱本体、１４：リレーブロック（第一の回路ユニット）、１６：リレーモジュール（第二の回路ユニット）、２４：差込孔、２６ａ，ｂ：内周面、２８ａ，ｂ：ブロック側ロック部（第一のロック部）、４０：ユニット接続バスバー、４２：固定部、４６：第一の分枝部、４８：第二の分枝部、５０：第一のユニット接続部、５２：第二のユニット接続部、５８：傾斜案内部、５９：電源ヒューズ装着部、６０：ブロック側接続部（第一の回路ユニットの接続部）、６６：ヒューズ装着部、６８：コネクタ装着部、７０：中央部分、７４ａ，ｂ：側面（第二の回路ユニットの外面）、７６ａ，ｂ：モジュール側ロック部（第二のロック部）、８２：モジュール側接続部（第二の回路ユニットの接続部）
【図１】
2014087221.tif 000003
【図２】
2014087221.tif 000004
【図３】
2014087221.tif 000005
【図４】
2014087221.tif 000006
【図５】
2014087221.tif 000007
【図６】
2014087221.tif 000008
【図７】
2014087221.tif 000009
【図８】
2014087221.tif 000010
【図９】
2014087221.tif 000011
【図１０】
2014087221.tif 000012
【図１１】
2014087221.tif 000013